(57)【特許請求の範囲】
【請求項１】
モータと、シャフトと、前記シャフトに対して回転可能に装着された駆動伝達部材と、前記シャフトに対して回転可能に装着されるとともに前記駆動伝達部材に連結されたカム体と、前記カム体を前記駆動伝達部材側に付勢する弾性体と、前記カム体と係合する突部が設けられた可動部と、前記可動部を枢支する軸部とを備え、
前記モータが前記駆動伝達部材を回転することにより、前記カム体が回転して前記可動部が前記軸部を中心に上下に揺動するものであり、
前記可動部は、自重により前記突部が前記カム体と係合する位置にもたらされるものであり、
前記可動部が外部の力により上に向って移動されると、前記可動部の突部が前記カム体から離脱し、前記可動部が外部の力により下に向って移動されると、前記弾性体が圧縮されつつ前記カム体が前記シャフトに対してスライドすることにより、前記カム体が前記駆動伝達部材から離脱することを特徴とする駆動装置。
【請求項２】
前記カム体としては、前記駆動伝達部材に直接連結された第１カム体と、前記第１カム体を介して前記駆動伝達部材に連結された第２カム体とを備え、前記可動部としては、前記第１カム体に従動する第１可動部と、前記第２カム体に従動する第２可動部とを備えたことを特徴とする請求項１記載の駆動装置。
【請求項３】
前記第１カム体及び前記第２カム体の対向部位には、前記シャフトに対して所定の角度に傾斜したテーパー面をそれぞれ設け、前記第１カム体及び前記第２カム体は、前記テーパー面を互いに当接することにより連結したことを特徴とする請求項２記載の駆動装置。
【請求項４】
前記可動部を装着した筐体を備え、前記モータ、前記シャフト、前記駆動伝達部材、前記カム体、及び前記弾性体を前記筐体の内部に配置するとともに、前記可動部を前記筐体の外部に突出したことを特徴とする請求項１乃至３のいずれか記載の駆動装置。
【請求項５】
請求項１乃至４のいずれか記載の駆動装置を備えたことを特徴とする時計。
【発明の詳細な説明】
【０００１】
【発明の属する技術分野】
本発明は、モータにより駆動する駆動装置に関する。
【０００２】
【従来の技術】
一般に、玩具用の駆動装置は、モータにギアやカム等の剛体要素を連結してなり、モータの単純な動きからより多彩な動きを得る構成となっている。こうした駆動装置は、例えば時計の装飾等にも利用されており、駆動装置を備えた時計は、予定時刻になると報知音を発生するとともに、その駆動装置を駆動する構成となっている。
【０００３】
【発明が解決しようとする課題】
ところで近年では、からくり時計や人形型の目覚し時計等、玩具としての趣向に富んだ時計が好まれる傾向にあり、この種の時計に利用する駆動装置についても、より合理的に構成されたものが望まれている。駆動装置における重要なポイントは、具体的には、面白い動きが得られること、故障や破損の心配が少ないこと、構造が簡素であること、容易に組み立てられること等である。
【０００４】
本発明は、かかる事情に鑑みてなされたものであり、その目的は、より優れた駆動装置を提供することである。
【０００５】
【課題を解決するための手段】
本願第１請求項に記載した発明は、モータと、シャフトと、前記シャフトに対して回転可能に装着された駆動伝達部材と、前記シャフトに対して回転可能に装着されるとともに前記駆動伝達部材に連結されたカム体と、前記カム体を前記駆動伝達部材側に付勢する弾性体と、前記カム体と係合する突部が設けられた可動部と、前記可動部を枢支する軸部とを備え、前記モータが前記駆動伝達部材を回転することにより、前記カム体が回転して前記可動部が前記軸部を中心に上下に揺動するものであり、前記可動部は、自重により前記突部が前記カム体と係合する位置にもたらされるものであり、前記可動部が外部の力により上に向って移動されると、前記可動部の突部が前記カム体から離脱し、前記可動部が外部の力により下に向って移動されると、前記弾性体が圧縮されつつ前記カム体が前記シャフトに対してスライドすることにより、前記カム体が前記駆動伝達部材から離脱する構成の駆動装置である。このような構成によると、優れた駆動装置が得られる。
【０００６】
すなわち本発明は、回転するカム体により可動部を動かす駆動装置である。そして、外部の力によって可動部が移動されると、可動部がカム体から離脱し、又はカム体が駆動伝達部材から離脱し、可動部にはモータの動力が伝わらない状態となる。つまり、可動部をモータの動力に反する方向に動かしても、モータに過大な負荷がかかる事態は回避される。つまり、モータの駆動時に可動部が外部の力で拘束されても、故障や破損等のトラブルは未然に防止される。また、駆動伝達部材から離脱したカム体は、可動部が解放されると、弾性体の付勢力にて所定の位置に復帰し、再び駆動伝達部材に連結される。
【０００７】
本願第２請求項に記載した発明は、請求項１において、前記カム体としては、前記駆動伝達部材に直接連結された第１カム体と、前記第１カム体を介して前記駆動伝達部材に連結された第２カム体とを備え、前記可動部としては、前記第１カム体に従動する第１可動部と、前記第２カム体に従動する第２可動部とを備えた構成の駆動装置である。また、本願第３請求項に記載した発明は、請求項２において、前記第１カム体及び前記第２カム体の対向部位には、前記シャフトに対して所定の角度に傾斜したテーパー面をそれぞれ設け、前記第１カム体及び前記第２カム体は、前記テーパー面を互いに当接することにより連結した構成の駆動装置である。このような構成によると、複数のカム体がそれぞれ可動部を動かすことにより、一層複雑な動きを効率よく得ることが可能となる。
【０００８】
本願第４請求項に記載した発明は、請求項１乃至３のいずれかにおいて、前記可動部を装着した筐体を備え、前記モータ、前記シャフト、前記駆動伝達部材、前記カム体、及び前記弾性体を前記筐体の内部に配置するとともに、前記可動部を前記筐体の外部に突出した構成の駆動装置である。このような構成によると、駆動装置の外観がより面白く設定される。特に本発明は、筐体及び可動部が人形を模するものについて好適である。
【０００９】
本願第５請求項に記載した発明は、請求項１乃至４のいずれか記載の駆動装置を備えた構成の時計である。つまり、かかる駆動装置は、時計を装飾するものとして、極めて好適に利用することが可能である。
【００１０】
キャラクター人形は、中空状の人形型ケース１１０に、左右の両足を呈する一対の第１可動部１１１、及び左右の両腕を呈する一対の第２可動部１１２をそれぞれ配置してなるものである。第１可動部１１１及び第２可動部１１２はそれぞれ、人形型ケース１１０の内部に設けられた軸部１１０ａに基端部を枢支されるとともに、先端部を人形型ケース１１０の外部に突している。尚、人形型ケース１１０の要所には、第１可動部１１１及び第２可動部１１２の先端部を外部に逃がすための開口が形成されている。
【００１１】
本例の駆動装置１００は、出力軸にウォームギア１２１を装着したモータ１２０と、両端部を上下の支持部１３１，１３２にそれぞれ固定されたシャフト１３０と、シャフト１３０に対して回転可能に装着された駆動伝達部材１４０と、シャフト１３０に対して回転可能に装着されるとともに駆動伝達部材１４０に直接連結された第１カム体１５０と、シャフト１３０に対して回転可能に装着されるとともに第１カム体１５０を介して駆動伝達部材１４０に連結された第２カム体１６０と、第１カム体１５０及び第２カム体１６０を駆動伝達部材側に付勢する弾性体（図例はコイルばね）１７０と、第１カム体１５０に従動する一対の第１可動部１１１と、第２カム体１６０に従動する一対の第２可動部１１２とを組み立ててなるものである。
【００１２】
モータ１２０、シャフト１３０、駆動伝達部材１４０、第１カム体１５０、第２カム体１６０、及び弾性体１７０は、筐体たる時計ケース２及び人形型ケース１１０の内部に配置されている。
【００１３】
駆動伝達部材１４０は、ウォームギア１２１と噛合するギアである。また、第１可動部１１１及び第２可動部１１２の基端部には、第１カム体１５０及び第２カム体１６０に係合される突部１１１ａ，１１２ａがそれぞれ設けられている。そして、モータ１２０が駆動伝達部材１４０を回転することによれば、第１カム体１５０及び第２カム体１６０が駆動伝達部材１４０と同期回転し、第１可動部１１１及び第２可動部１１２が各軸部１１０ａを中心に上下にそれぞれ揺動する。第１可動部１１１及び第２可動部１１２の揺動形態は、第１カム体１５０及び第２カム体１６０の形状によって適宜に設定されている。
【００１４】
尚、駆動伝達部材１４０、第１カム体１５０、第２カム体１６０、及び弾性体１７０は、それぞれシャフト１３０を貫通する部材であり、駆動装置１００を組み立てる際は、シャフト１３０にこれらを順次に通した後、そのシャフト１３０を上下の支持部１３１，１３２に挟んで固定する。弾性体１７０は、上部の支持部１３１と第２カム体１６０との間に装着される。このような構成によれば、これらの部材の位置決めが正確且つ容易になされるという利点がある。
【００１５】
本例の場合、人形型ケース１１０の外部に突出した第１可動部１１１及び第２可動部１１２は、目覚し時計１の使用者が指で摘む等してそれぞれ任意に動かすことができる。
【００１６】
つまり図５に示すように、駆動伝達部材１４０、第１カム体１５０、第１可動部１１１、第２カム体１６０、及び第２可動部１１２は、通常は互いに連結されており、モータ１２０の動力によって同時に駆動する。駆動伝達部材１４０及び第１カム体１５０は、両者の対向部位がそれぞれ凹凸形状となっており、これらの凹凸を互いに嵌合することにより連結されている。また、第１カム体１５０及び第２カム体１６０は、両者の対向部位がそれぞれシャフト１３０に対して所定の角度に傾斜したテーパー面となっており、これらのテーパー面を互いに当接することにより連結されている。
【００１７】
そして図６に示すように、第１可動部１１１が外部の力により一方に移動されると、第１可動部１１１の突部１１１ａは第１カム体１５０から離脱する。この場合は、第１可動部１１１にはモータ１２０の動力が伝わらない状態となる。尚、第１可動部１１１は、外部の力から解放されると自重により所定の位置に復帰し、その突部１１１ａが再び第１カム体１５０と係合する。また同様に、第２可動部１１２が外部の力により一方に移動されると、第２可動部の突部１１２ａは第２カム体１６０から離脱する。この場合は、第２可動部１１２にはモータ１２０の動力が伝わらない状態となる。第２可動部１１２は、解放されると自重により所定の位置に復帰し、その突部１１２ａが再び第２カム体１６０と係合する。
【００１８】
更に図７に示すように、第１可動部１１１の少なくとも一つが外部の力により他方に移動されると、弾性体１７０が圧縮されつつ第１カム体１５０及び第２カム体１６０がシャフト１３０に対してスライドすることにより、第１カム体１５０が駆動伝達部材１４０から離脱する。この場合は、第１可動部１１１及び第２可動部１１２にはモータ１２０の動力が伝わらない状態となる。尚、駆動伝達部材１４０から離脱した第１カム体１５０は、第１可動部１１１が解放されると、弾性体１７０の付勢力にて所定の位置に復帰し、再び駆動伝達部材１４０に連結される。
【００１９】
また図８に示すように、第２可動部１１２の少なくとも一つが外部の力により他方に移動されると、弾性体１７０が圧縮されつつ第２カム体１６０がシャフト１３０に対してスライドすることにより、第２カム体１６０が第１カム体１５０及び駆動伝達部材１４０から離脱する。この場合は、第２可動部１１２にはモータ１２０の動力が伝わらない状態となる。尚、第１カム体１５０及び駆動伝達部材１４０から離脱した第２カム体１６０は、第２可動部１１２が解放されると、弾性体１７０の付勢力にて所定の位置に復帰し、再び第１カム体１５０及び駆動伝達部材１４０に連結される。
【００２０】
このような構成によると、第１可動部１１１や第２可動部１１２をモータ１２０の動力に反する方向に動かしても、モータ１２０に過大な負荷がかかる事態は回避することができる。つまり、モータ１２０の駆動時に第１可動部１１１や第２可動部１１２が外部の力で拘束されても、故障や破損等のトラブルは未然に防止することができる。
【００２１】
以上説明したように、本例の駆動装置は、面白い動きを得るとともに、故障や破損の防止、構造の簡素化、及び組み立ての容易化を達成したものであり、目覚し時計を装飾するものとして、極めて好適に利用することができる。勿論、本例の駆動装置の構成は、からくり時計やその他各種の玩具に応用することも可能である。
【００２２】
【発明の効果】
本発明は、モータと、シャフトと、前記シャフトに対して回転可能に装着された駆動伝達部材と、前記シャフトに対して回転可能に装着されるとともに前記駆動伝達部材に連結されたカム体と、前記カム体を前記駆動伝達部材側に付勢する弾性体と、前記カム体と係合する突部が設けられた可動部と、前記可動部を枢支する軸部とを備え、前記モータが前記駆動伝達部材を回転することにより、前記カム体が回転して前記可動部が前記軸部を中心に上下に揺動するものであり、前記可動部は、自重により前記突部が前記カム体と係合する位置にもたらされるものであり、前記可動部が外部の力により上に向って移動されると、前記可動部の突部が前記カム体から離脱し、前記可動部が外部の力により下に向って移動されると、前記弾性体が圧縮されつつ前記カム体が前記シャフトに対してスライドすることにより、前記カム体が前記駆動伝達部材から離脱する構成の駆動装置である。このような構成によると、優れた駆動装置を得ることができる。
【図面の簡単な説明】
【図１】  本発明の具体例に係り、目覚し時計を示す正面図である。
【図２】  本発明の具体例に係り、目覚し時計を示す側面図である。
【図３】  本発明の具体例に係り、目覚し時計を示す正面断面図である。
【図４】  本発明の具体例に係り、目覚し時計を示す側面断面図である。
【図５】  本発明の具体例に係り、駆動装置の要部を示す説明図である。
【図６】  本発明の具体例に係り、駆動装置の要部を示す説明図である。
【図７】  本発明の具体例に係り、駆動装置の要部を示す説明図である。
【図８】  本発明の具体例に係り、駆動装置の要部を示す説明図である。
【符号の説明】
１      目覚し時計
２      時計ケース
３      時刻表示部
１００      駆動装置
１１０      人形型ケース
１１０ａ      軸部
１１１      第１可動部
１１１ａ      突部
１１２      第２可動部
１１２ａ      突部
１２０      モータ
１２１      ウォームギア
１３０      シャフト
１３１      支持部
１３２      支持部
１４０      駆動伝達部材
１５０      第１カム体
１６０      第２カム体
１７０      弾性体
【図１】
0003813904.tif 000002
【図２】
0003813904.tif 000003
【図３】
0003813904.tif 000004
【図４】
0003813904.tif 000005
【図５】
0003813904.tif 000006
【図６】
0003813904.tif 000007
【図７】
0003813904.tif 000008
【図８】
0003813904.tif 000009